(57)【要約】【課題】ズームファインダのファインダ視野のずれを防止する。【解決手段】本体基部１２には、ズームレンズ１６、ズームファインダ２８、モータ２９、カムプレート８１、連結部材８２が組み込まれている。連結部材８２は、ズームレンズ１６の繰り出し、沈胴に連動して光軸方向αに沿って移動する。カムプレート８１は、連結部材８２の凸部８２ｄが嵌め込まれる第１カム溝８１ａ、ズームファインダ２８の変倍レンズ７５，７６の従動ピン７５ａ，７６ａが嵌め込まれる第２，３カム溝８１ｂ，８１ｃが形成されている。変倍動作時には、モータ２９が正転し、ズームレンズ１６が繰り出されてカムプレート８１がスライドし、カムプレート８１の移動を検出して所定の位置にあることを検出すると、モータ２９を逆転に切り替えて、モータ２９の回転量からズームレンズ１６の移動量を検出して所定のポジションに位置したとき、モータ２９の回転を停止する。【選択図】        図２
2004287261.tif 000002
【特許請求の範囲】
【請求項１】
ワイド端からテレ端までのズーム範囲内で、段階的に複数のズーム位置が設定されており、この各ズーム位置に対応する変倍位置となるように撮影レンズの焦点距離を変化させる変倍動作とともに、各ズーム位置ごとにピント位置を変化させるピント調節動作を行うステップズーム方式のズームレンズと、前記各ズーム位置に対応する変倍位置となるようにファインダ視野が変化するズームファインダとを備えたカメラにおいて、
前記ズームレンズの駆動源で正逆転可能なモータと、前記モータの回転が一方の方向から他方の方向に切り替えられたときに所定の遅れ位相差を持ってズームレンズと連結してズームファインダに駆動を伝達する駆動伝達機構と、この駆動伝達機構を構成する構成部材の位置を検出する位置検出手段とを備えており、変倍動作が行われるとき、前記モータから前記ズームレンズに駆動が伝達されるとともに、前記駆動伝達機構を介して前記ズームファインダに駆動を伝達し、前記位置検出手段により検出された前記構成部材の位置が、前記ズームファインダの各ズーム位置に対応する位置に等しくなったときにモータの回転を停止させ、このモータの回転が停止した後に、逆の方向にモータの回転を切り替えて前記遅れ位相差の範囲内でモータを回転し、前記ズームレンズの焦点距離が前記ズーム位置に対応する位置に等しくなったときにモータを停止させることを特徴とするカメラ。
【請求項２】
前記駆動伝達機構は、前記ズームレンズの移動に伴って移動する移動部材と、前記ズームファインダと連結しており、前記移動部材の外周形状よりも幅の広いカム溝が形成されたカム部材とからなり、前記ズームレンズが進退する方向が切り替えられたとき、前記カム溝の幅と前記移動部材の外周形状との寸法差の分だけ遅れ位相差を持って、前記カム溝と前記移動部材とが係合状態となることを特徴とする請求項１記載のカメラ。
【請求項３】
前記位置検出手段は、前記カム部材の位置を検出するエンコーダであることを特徴とする請求項２記載のカメラ。
【発明の詳細な説明】
【０００１】
【発明の属する技術分野】
本発明は、ステップズーム方式のズームレンズの変倍動作に連動してズームファインダの倍率が変化するカメラに関するものである。
【０００２】
【従来の技術】
撮影倍率を段階的に変化させる変倍動作と、その各撮影倍率毎にピント位置を変化させるためのピント調節を行うステップズーム方式のズームレンズが知られている。このようなステップズーム方式のズームレンズを備えたカメラに組み込まれるズームファインダは、一般的に、固定レンズと、ズームレンズの移動に伴って移動する移動レンズとが設けられており、ズームレンズの変倍動作に応じて移動レンズが移動することによって固定レンズとの間隔が変化し、ファインダ視野の倍率が変更されるようになっている。これによってズームレンズとズームファインダとを１つのモータで駆動させることが可能であり、ローコスト化を図ることが可能となっている。
【０００３】
ところで、上記構成のズームファインダでは、ズームレンズの変倍動作に連動して移動レンズが移動するだけでなく、ピント調節の時にもズームレンズの動きに移動レンズが連動すると、ファインダ視野の倍率が変化して撮影倍率に応じたファインダ視野率とは異なってしまうことになる。そこで、特許文献１，２に記載されているズームファインダでは、ズームレンズの変倍動作時には、ズームファインダに駆動を伝達し、ピント調節時には、駆動の伝達を解除する連動機構を設けている。
【０００４】
【従来の技術】
【特許文献１】
特開平９−２１１５５４号公報
【特許文献２】
特開平９−２５１１７８号公報
【０００５】
【発明が解決しようとする課題】
しかしながら、上記特許文献に記載されているようなズームファインダでは、ズームレンズの移動に伴って、移動レンズの移動が行われるように構成されており、ズームレンズ、連動機構、及びズームファインダの間を介するギヤ列やカム、ヘリコイドなどの間にそれぞれ組立誤差があり、それぞれの誤差が微小でもそれらが積み重なり、ズームファインダでの移動レンズの移動の際には大きな誤差となって、ズームレンズの撮影倍率と、ファインダ視野の倍率がずれてしまうことがある。なお、ズームレンズ及びズームファインダをそれぞれ別のモータで駆動すればこのようなファインダ視野のずれは防ぐことができるが、カメラに組み込むモータの個数が増加することになりローコスト化の妨げとなる。
【０００６】
本発明は、上記問題を解決するためのものであり、ズームレンズ及びズームファインダを１つのモータで駆動し、且つズームレンズの撮影倍率に応じたファインダ視野となるようにズームファインダが連動し、ファインダ視野のずれを防ぐことが可能なカメラを提供することを目的とする。
【０００７】
【課題を解決するための手段】
上記目的を達成するために、本発明のカメラは、ワイド端からテレ端までのズーム範囲内で、段階的に複数のズーム位置が設定されており、この各ズーム位置に対応する変倍位置となるように撮影レンズの焦点距離を変化させる変倍動作とともに、各ズーム位置ごとにピント位置を変化させるピント調節動作を行うステップズーム方式のズームレンズと、前記各ズーム位置に対応する変倍位置となるようにファインダ視野が変化するズームファインダとを備えたカメラにおいて、前記ズームレンズの駆動源で正逆転可能なモータと、前記モータの回転が一方の方向から他方の方向に切り替えられたときに所定の遅れ位相差を持ってズームレンズと連結してズームファインダに駆動を伝達する駆動伝達機構と、この駆動伝達機構を構成する構成部材の位置を検出する位置検出手段とを備えており、変倍動作が行われるとき、前記モータから前記ズームレンズに駆動が伝達されるとともに、前記駆動伝達機構を介して前記ズームファインダに駆動を伝達し、前記位置検出手段により検出された前記構成部材の位置が、前記ズームファインダの各ズーム位置に対応する位置に等しくなったときにモータの回転を停止させ、このモータの回転が停止した後に、逆の方向にモータの回転を切り替えて前記遅れ位相差の範囲内でモータを回転し、前記ズームレンズの焦点距離が前記ズーム位置に対応する位置に等しくなったときにモータを停止させるている。
【０００８】
前記駆動伝達機構は、前記ズームレンズの移動に伴って移動する移動部材と、前記ズームファインダと連結しており、前記移動部材の外周形状よりも幅の広いカム溝が形成されたカム部材とからなり、前記ズームレンズが進退する方向が切り替えられたとき、前記カム溝の幅と前記移動部材の外周形状との寸法差の分だけ遅れ位相差を持って、前記カム溝と前記移動部材とが係合状態となることが好ましい。また、前記位置検出手段は、前記カム部材の位置を検出するエンコーダであることも効果的である。
【０００９】
【発明の実施の形態】
図１は、本発明のカメラ１０を示す外観斜視図である。カメラ１０のカメラボディ１１は、各種撮影機構や電子部品等が組み付けられる本体基部１２（図２参照）と、本体基部１２の前面及び背面を覆う前カバー１３及び後カバー１４とから構成される。カメラボディ１１の中央部には、撮影用のズームレンズ１６が組み込まれている。このズームレンズ１６の鏡筒１７は、カメラ１０の主電源がオフの時にはカメラボディ１１の内部に収納され（実線）、主電源をオンにした後、広角端から望遠端に向けて変倍操作を行った時にカメラボディ１１の前面から突出する（仮想線）。また、カメラボディ１１の前面には、対物側ファインダ窓１８，ストロボ発光窓１９，測光窓２０，オートフォーカス（パッシブ方式）用の受光窓２１，２２が設けられる。また、カメラボディ１１の上部にはシャッタボタン２３、ズームボタン２４が設けられている。
【００１０】
本体基部１２の分解斜視図を示す図２において、左右にパトローネ収納室１２ａ，フイルム巻取り室１２ｂが形成された本体基部１２の中央部には、ズームレンズ１６の固定筒２６が一体的に取り付けられている。さらに、本体基部１２には、ズームファインダ２８と、ズームレンズ１６の駆動源となるモータ２９とが組み込まれている。
【００１１】
ズームレンズ１６は、詳しくは図３及び図４に示すように、後筒３０、中間筒３１、及び前筒３２から鏡筒１７が構成されている。この後筒３０、中間筒３１、及び前筒３２が固定筒２６に対してそれぞれ繰り出し及び沈胴して変倍動作する。後筒３０は、直進筒３５と後回転筒３６とで構成され、また、中間筒３１は、中間回転筒３７と直進ガイド枠３８とで構成されており、前筒３２は、回転筒３９と移動筒４０とで構成されている。
【００１２】
固定筒２６は、直進筒３５を光軸方向αに沿って移動自在に支持しており、かつ直進筒３５を回転止めする。この回転止めは、固定筒２６に設けたキー溝４１と直進筒３５に設けたキー突起４２との係合によって行われている。直進筒３５は、外周面で後回転筒３６を回転自在に支持する。
【００１３】
後回転筒１６は、モータ２９（図２参照）の駆動が入力されることで固定筒２６及び直進筒３５に対して回転しながら、且つ直進筒３５を保持したまま光軸方向αに沿って移動する。光軸方向αへの移動は、外周後端に形成された雄ヘリコイド４３と固定筒２６の内周に設けた雌ヘリコイド４４との螺合によって行われる。
【００１４】
モータ２９は、本体基部１２のパトローネ収納室１２ａの上部に配置されており、変倍動作時及びピント調節時に駆動される。このモータ２９の駆動は、パトローネ収納室１２ａの前面に設けられたギア列（図示せず）を介して、固定筒２６の内部に設けられた長尺ギア４５に入力される。さらに、図２に示すようにモータ２９の出力軸２９ａには，羽根車３３ａと、光電センサ３３ｂとからなるロータリエンコーダ３３が取り付けられている。羽根車３３ａは出力軸２９ａに一体に固着されており、円盤状で等角度間隔に複数のスリットが形成されている。光電センサ３３ｂとしては、フォトインタラプラタを使用し、羽根車３３ａのスリットが通過したときの信号を送る。これによって、光電センサ３３ｂからの信号に基づいて、モータ２９の単位回転を検出することができる。
【００１５】
長尺ギア４５は、固定筒２６の一部を切り欠いた開口２６ａから内周に露呈しており、後回転筒３６の雄ヘリコイド４３の頂上に形成したギア４６に噛合する。長尺ギア４５は光軸方向αに軸方向が長く伸びるように形成されており、後回転筒３６が光軸方向αに進退しても長尺ギア４５とギア列４６の噛合が解除されることがない。
【００１６】
中間回転筒３７には、キー突起４７、雄ヘリコイド４８、及び雌ヘリコイド４９が形成されている。雄ヘリコイド４８は中間回転筒３７の外周後端に配置されており、直進筒３５の内周に形成された雌ヘリコイド５０に螺合する。キー突起４７は、雄ヘリコイド４８の外周の一部に形成されており、直進筒３５に形成された貫通孔５１を通過して後回転筒３６の内周に形成されたキー溝５２に係合している。これにより、後回転筒３６の回転が中間回転筒３７に伝達され、中間回転筒３７は、後回転筒３６の回転を利用してヘリコイド４８，５０のリードに従って光軸方向αに移動する。
【００１７】
中間回転筒３７は、直進ガイド枠３８を回転自在に支持している。直進ガイド枠３８は、環状の枠部５３、及びその枠部５３から光軸方向αに突出した直進キー５４が形成されている。枠部５３には、外周にキー突起５５が形成されている。キー突起５５は、直進筒３５の内周に設けたキー溝５６に係合し、直進ガイド枠３８を回転止めする。直進キー５４は、中間回転筒３７の内部を通過して移動筒４０に係合する。これにより、直進ガイド枠３８は、中間回転筒３７と一緒に光軸方向に移動し、かつ移動筒４０を回転止めする。
【００１８】
移動筒４０は、外周面で回転筒３９を回転自在に支持する。回転筒３９には、外部にキー突起５７が形成されている。キー突起５７は、中間回転筒３７の内周に設けたキー溝５８に係合しており、中間回転筒３７の回転を回転筒３９に伝達する。移動筒４０の外周後端には、雄ヘリコイド５９が形成されている。雄ヘリコイド５９は、中間回転筒３７の内周に設けた雌ヘリコイド４９に螺合する。これにより、移動筒４０は、直進ガイド枠３８に回転止めされた状態でヘリコイド４９，５９のリードに従って光軸方向αに沿って移動する。
【００１９】
移動筒４０は、図５に示すように、保持枠６０、第１レンズ群６１、シャッタブロック６２、第２レンズ群６３、バネ６４、及び第３レンズ群６５とで構成されている。シャッタブロック６２は、絞り兼用のプログラムシャッタを内蔵している。第１レンズ群６１は、保持枠６０の先端側に固着され、第３レンズ群６５は、保持枠６０の後端側にピン止めにより固定される。シャッタブロック６２と第２レンズ群６３とは、互いに一体化されたユニットを構成しており、これらを以下では第２レンズブロック６６と称す。バネ６４は、圧縮バネとなっており、第２レンズブロック６６と第３レンズ群６５を保持する第３レンズ保持枠６７との間に介在されている。第２レンズブロック６６は、第１及び第３レンズ群６１，６５との間で回転止めされた状態で光軸方向に移動自在となるように保持枠６０に支持されており、バネ６４により第１レンズ群６１に向けて付勢されている。
【００２０】
第２レンズブロック６６の外周には、３個の直進ガイド部材６８が設けられている。直進ガイド部材６８は、保持枠６０に設けた３つの直進ガイド開口６９に各々係合して第２レンズブロック６６を保持枠６０に対して光軸方向に直進移動させる。各直進ガイド部材６８の上には、カムフォロワー７０が形成されている。これらのカムフォロワー７０は、直進ガイド開口６９を通過して回転筒３９の内周に３箇所形成された第２レンズ群移動用のカム７１にそれぞれ係合する。第２レンズ群移動用のカム７１は、回転筒３９の回転に応じて光軸方向αに変位して第２レンズブロック６６を保持筒６０に対して光軸方向αに移動し、第１及び第３レンズ群６１，６５との間の間隔を変化させる。
【００２１】
第１〜第３レンズ群６１，６３，６５はモータ２９の回転量に対して収納位置からワイド位置を通ってテレ位置に向けて移動する。この移動は、各ヘリコイド４３，４４，４８〜５０のリード、各回転止め、及びカム７１とカムフォロワー７０との係合による作用からなるものであり、いわゆるステップズーム方式の移動を行う。すなわち、図６に示すように、第１及び第３レンズ群６１、６５は、後筒３０、中間筒３１、及び前筒３２の各繰り出しを合成した繰り出しにより直線状に移動するとともに、第２レンズ群６３は、後筒３０、中間筒３１、及び前筒３２の各繰り出しを合成した繰り出しに加えて、第２レンズ群移動用のカム７１の変位が合成されてジグザグ状に移動する。この第２レンズ群移動用のカム７１は、第２レンズ群６３を予め設定された複数の撮影倍率を段階的に変化させるための変倍用カム面と、各撮影倍率毎に被写体距離に応じたピント位置となるように第１レンズ群６１または第３レンズ群４６との間の間隔を変化させるカム面とが連続的に形成されている。なお図５では、図中下方がモータ２９の正回転方向であり、上方が逆回転方向である。
【００２２】
したがって、ワイド端位置とテレ端位置との間のズーム域には、ステップごとに複数のズーム位置Ｚ１〜Ｚｎが決められており、本実施形態においては、撮影倍率のステップがワイド端位置からテレ端位置まで計４段階の撮影倍率で段階的に変化するように、ｎ＝４としており、４つのズーム位置Ｚ１〜Ｚ４が決められている。そして、各ズーム位置Ｚ１〜Ｚ４でピント調節の領域が設定されており、無限から至近までピント位置が調節される４つのピント調節の領域Ｐ１〜Ｐ４が設定されている。そしてこのピント調節の領域Ｐ１〜Ｐ４とそれぞれ隣接するように変倍動作の領域Ｈ１〜Ｈ３が設定されている。すなわち、モータ２９の回転量の変化に応じてピント調節の領域と変倍動作の領域とが交互に位置するように設定されている。
【００２３】
ズームファインダ２８は、本体基部１２の上部に取り付けられており、変倍レンズ７５，７６、対物レンズ７７，プリズム７８，７９，接眼レンズ８０等からなり、変倍レンズ７５，７６は互いに接近する方向にバネ付勢されている。このズームファインダ２８は、駆動伝達機構を構成するカムプレート８１及び連結部材８２による連動で、ズームレンズ１６の移動に対して所定の遅れ位相差を持って駆動が伝達される。カムプレート８１は、後述するユニット基部９０に取り付けられることにより、方向β（光軸方向αと直交する方向）のみにスライド可能とするように位置規制されている。
【００２４】
固定筒２６の上部には、スリット８５が撮影光軸Ｌと平行に形成されている。このスリット８５は、上述したキー溝４１と貫通しており、このスリット８５から連結部材８２の係合爪８２ａが突出して、ズームレンズ１６を構成する直進筒３５のキー突起４２と係合している。一方、連結部材８２の上部には、円柱状の凸部８２ｂが形成されており、これがほぼ長方形をした平板状のカムプレート８１の裏面に形成された第１カム溝８１ａ（図７参照）に嵌合する。第１カム溝８１ａは、光軸方向αに対して傾斜するように形成されている。さらに、この第１カム溝８１ａは、ズームレンズ１６の変倍動作時には凸部８２ｂと係合し、ピント調節時には凸部８２ｂと非係合状態となるように、第１カム溝８１ａの幅は、凸部８２ｂの外周径よりも広い一定の幅で形成されている。これによって、第１カム溝８１ａは、凸部８２ｂの光軸方向αに沿った移動に対して、所定の遅れ位相差を持って係合するようになっている。
【００２５】
カムプレート８１の表面には、ズームファインダ２８の２枚の変倍レンズ７５，７６がそれぞれ係合する２本の第２，第３カム溝８１ｂ，８１ｃが形成されている。この第２カム溝８１ｂ，８１ｃの内部には、変倍レンズ７５，７６と一体に設けられた従動ピン７５ａ，７６ａがそれぞれ挿入される。また、カムプレート８１の一短辺のほぼ中央部には、方向βにライン状に延び、かつカムプレート８１とほぼ同じ厚みのラックギア８１ｄが一体に形成されている。このラックギア８１ｄはズームストロボのストロボ発光部８８を光軸方向αに進退させる。
【００２６】
図７は、カムプレート８１内における連結部材８２の凸部８２ｂ、及び変倍レンズ７５，７６の従動ピン７５ａ，７６ａの動作を示すものである。ズームレンズ１６の沈胴時（収納位置）では、凸部８２ｂは、第１カム溝８１ａから外れた位置（図中丸囲みの「沈」で示す位置）にある。また、ワイド端では、凸部８２ｂは、第１カム溝８１ａの内部に進入し、第１カム溝８１ａ内部の丸囲みの「Ｗ」で示す位置まで移動する。このとき各従動ピン７５ａ，７６ａは、第２及び第３カム溝８１ｂ，８１ｃにおける丸囲みの「Ｗ」で示す位置にある。沈胴時も、従動ピン７５ａ，７６ａは、ワイド端位置と同じ位置にある。
【００２７】
変倍動作時に、ズームレンズ１６がワイド端側からテレ端側に向かって繰り出されると、凸部８２ｄは、カムプレート８１を押圧して移動させる。第１カム溝８１ａは、光軸方向αに対して傾斜して形成されているから、凸部８２ｄがワイド端側からテレ端側へ移動すると、カムプレート８１を方向βに沿って図中右側へ移動させる。すなわち、カムプレート８１の内部では、凸部８２ｄは、ワイド端側からテレ端側への移動時、カムプレート８１に対して図中左側へ第１カム溝８１ａに沿って相対移動する。そして、テレ端位置では、凸部８２ｄ及び従動ピン７５ａ，７６ａは丸囲みの「Ｔ」で示す位置まで相対移動する。このため、各変倍レンズ７５，７６は第２，３カム溝８１ｂ，８１ｃにガイドされてそれぞれ光軸方向αに沿って移動する。
【００２８】
本体基部１２の上部には、ズームファインダ２８が組み込まれたファインダユニット８９が爪係合で取り付けられる。ファインダユニット８９のユニット基部９０には、カムプレート８１，ズームファインダ２８，ストロボ発光部８８の他、パッシブ方式のオートフォーカスユニット（以下では、ＡＦユニットとする。）９１が一体的に組み込まれている。ＡＦユニット９１は、前記受光窓２１，２２と相対する受光用レンズ９２，９３が設けられ、また後部には回路基板９４が組み付けられている。
【００２９】
ファインダユニット８９の断面図を示す図８において、カムプレート８１は、ユニット基部９０に形成されたガイドレール９０ａ，９０ｂの間にスライド自在に配置されており、カムプレート８１の上面に形成された２個の突起８１ｅ，８１ｆ（図２参照）がユニット基部９０の下面に形成されたガイド溝９０ｃに遊嵌している。また、カムプレート８１に一体に形成されたラックギア８１ｄは、ユニット基部９０に支持されている平ギア９６に噛合している。平ギア９６の回動は図示しないギア列によってズームストロボ８８に駆動が伝達される。
【００３０】
カムプレート８１の側部に形成された突条部８１ｇとガイドレール９０ａとの隙間には、突条部８１ｇの縁部に摩擦を与える板ばね９７が挿入されている。この板ばね９７とカムプレート８１は、ユニット基部９０に挿入・固着される留め具９８（図２参照）によって押さえられ、落下が防止される。
【００３１】
さらに、ファインダユニット８９と本体基部１２との間には、カムプレート８１の位置を検出するズームファインダ位置検出用のエンコーダ９９が設けられている。エンコーダ９９は、本体基部１２に固定されたエンコーダ基板１００と、カムプレート８１に固定されたエンコーダブラシ１０１とから構成される。エンコーダ基板１００は、カムプレート８１のラックギア８１ｄの背面側付近にカムプレート８１が移動する方向βに沿って取り付けられている。
【００３２】
エンコーダブラシ１０１は、ラックギア８１ｄの根元付近位置に取り付けられており、カムプレート８１からからエンコーダ基板１００に向かって延びる４本のエンコーダ接片１０１ａ〜ｄから構成されている。このエンコーダ接片１０１ａ〜ｄとエンコーダ基板１００の導通パターン１００ａ〜ｄとが摺接して導通する。エンコーダ基板１００の導通パターンは、カムプレート８１の位置が、ズームファインダ２８の各ズーム位置Ｚ１〜４に対応する位置にあることを検出できるように形成されている。すなわち、カムプレート８１が連結部材８２と係合して移動するときには、ズームファインダ２８も変倍動作が行われているときなので、ズームファインダ２８の各ズーム位置Ｚ１〜４に対応する４つのポジションＣＰ１〜４が検出できるように、エンコーダ基板１００には、４つの導通パターン１００ａ〜ｄが形成されている。そしてエンコーダ基板１００は、導通パターン１００ａ〜ｄにエンコーダ接片１０１ａ〜ｄがそれぞれ摺接することによって信号を出力するように設定されている。
【００３３】
４つの導通パターン１００ａ〜ｄは、４つのポジションＣＰ１〜４を検出できるようにそれぞれ異なる形状に形成されている。例えば、導通パターン１００ａは、エンコーダ接片１０１ａの移動する範囲に合わせて全て連続するパターンであり、導通パターン１００ｂはエンコーダ接片１０１ｂの移動する範囲の中間まで連続し、導通パターン１００ｃはエンコーダ接片１０１ｃの移動する範囲の約１／４ずつ導通する部分と導通しない部分とが交互に連続するように、そして導通パターン１００ｄはエンコーダ接片１０１ｄの移動する範囲の約１／８ずつ導通する部分と導通しない部分とが交互に連続するように形成されている。これによってポジションＣＰ１では、エンコーダ接片１０１ａ〜ｄ全てが導通し、ポジションＣＰ２ではエンコーダ接片１０１ａ，ｂ，ｄが、ポジションＣＰ３ではエンコーダ接片１０１ａ，ｃ，ｄが、ポジションＣＰ４では接片１０１ａ，１０１ｄがそれぞれ導通するので、各ポジションＣＰ１〜４にあるとき、エンコーダ９９は、全て異なる信号を出力することから、この信号に基づいてカムプレート８１の位置を検出することができる。
【００３４】
一方、直進筒３５と本体基部１２との間にも、図４に示すようにズームレンズ位置検出用のエンコーダ１０２が設けられている。このエンコーダ１０２は上述したエンコーダ９９と同様の構成であり、エンコーダ基板１０３と、エンコーダブラシ１０４とからなる。エンコーダ基板１０３は、直進筒３５のキー突起４２の前方で、光軸方向αと平行に本体基部１２に取り付けられており、エンコーダブラシ１０４はキー突起４２の中央部に取り付けられており、エンコーダ基板１０３に摺接して導通するように構成されている。キー突起４２は、上述したように直進筒３５と一体に形成され、直進筒３５はズームレンズ１６を構成しているので、ズームレンズ１６の繰り出し、及び沈胴に同期してエンコーダブラシ１０４も移動する。これによってエンコーダ１０２は、ズームレンズ１６が各ズーム位置Ｚ１〜Ｚ４に対応するポジションにあることを検出し、信号を送ることが可能となっている。
【００３５】
図９は、カメラ１０の電気的構成を示すものである。カメラ１０の制御部１０２には、入力部１０６、ロータリエンコーダ３３、ズームファインダ位置検出用エンコーダ９９、ズームレンズ位置検出用エンコーダ１０２、ＡＦユニット９１、ＲＡＭ１０９、及びＲＯＭ１１０が接続されているとともに、ドライバー１１１，１１２を介してそれぞれシャッタ用のモータ１１３、ズームレンズ１６用のモータ２９も接続されている。
【００３６】
ＲＯＭ１１０には、変倍位置と被写体距離との組み合わせに応じた第２レンズ群６３の移動量を設定するプログラムが記憶されている。ＲＡＭ１０９は、ＡＦユニット９１から得た被写体距離等の値を一時的に記憶するためのものである。入力部１０６は、電源ボタン、シャッタボタン２５、及びズームボタン２４等からなる。
【００３７】
さらに、ＲＯＭ１０６には、ズームファインダ２８が各撮影倍率に応じたファインダ視野となったときのカムプレート８１の位置を設定するプログラムが記憶されており、制御部１０２は、このプログラムに基づき、位置検出用エンコーダ９９でカムプレート８１の各ポジションＣＰ１〜４を検出することによって、ズームファインダ２８の撮影倍率を制御することができる。
【００３８】
上述したように、モータ２９にはロータリエンコーダ３３が取り付けられており、制御部１０２は、そのロータリエンコーダ３３から出力されるパルスをカウントすることでモータ２９の駆動を制御する。なお、各レンズ群６１，６３，６５の移動量に対するパルス数への変換テーブルも予めＲＯＭ１０６に記憶されている。
【００３９】
上記構成の作用を、図１０に示すフローチャートに基づいて説明する。撮影を行うときに、撮影者は、ズームファインダ２８の接眼レンズ８０を覗いてフレーミングする。そして被写体に合わせて撮影倍率を変更したいときには、ズームボタン２４を押圧操作してズームレンズ１６を変倍動作させる。このズームボタン２４が押圧操作されると、モータ２９の回転駆動が開始される。そして、このモータ２９の回転によってズームレンズ１６の後筒３０、中間筒３１、及び前筒３２が光軸方向αに沿って繰り出される。この変倍動作時に、ズームレンズ１６が光軸方向αに沿って繰り出されると、連結部材８２の凸部８２ｄが図７に示すように動作し、カムプレート８１に係合して第１カム溝８１ａを押圧する。これによってカムプレート８１が方向βに沿って移動し、カムプレート８１の移動に伴って各変倍レンズ７５，７６が移動するので、ズームファインダ２８のファインダ視野が変倍される。撮影者は、接眼レンズ８０を覗いて得られるファインダ視野からズームレンズ１６の撮影倍率が変化していることを認識し、任意の撮影倍率になるまで、ズームボタン２４を押圧し続ける。
【００４０】
本実施形態においては、撮影者はズーム位置Ｚ２となったときに撮影者が手を離し、撮影倍率の入力を終えたものとする。そしてズームボタン２４から撮影者の手が離れると、制御部１０２は、図６の丸囲みの「Ａ」で示すようなパターンでモータ２９を作動させる。すなわち撮影者が手を離すまでモータ２９が回転していた変倍動作の領域Ｈ１を超えて、ズーム位置Ｚ２に応じたピント調節の領域Ｐ２と次の変倍動作の領域Ｈ２との境界Ｑ２の付近まで、モータ２９が正方向に回転する。
【００４１】
そして、制御部１０２は、ズームファインダ２８のズーム位置Ｚ２に対応する位置に、ズームファインダ位置検出用エンコーダ９９によって検出されたカムプレート８１の位置がポジションＣＰ２に等しくなったときにモータ２９を停止させる。このときモータ２９は、境界Ｑ２を微小量ｒだけ超えた停止位置Ｒで停止する。これによって、停止位置Ｒで停止したとき、ズームファインダ２８の倍率は、ズーム位置Ｚ２に応じた倍率となる。このときカムプレート８１を押圧する連結部材８２の凸部８２は、符号８２ｄ´で示す位置にある。
【００４２】
さらに停止位置Ｒで停止した後、制御部１０２は、図５の丸囲みの「Ｂ」で示すようなパターンでモータ２９を作動させる。すなわち、モータ２９を停止前とは逆の方向に回転するように切り替えて、ズームレンズ位置検出エンコーダ１０２でズームレンズのポジションを検出し、ズーム位置Ｚ２に応じたポジションがを示す信号が検出されたときにモータ２９を停止させる。このとき、モータ２９は、逆方向に回転しているので、カムプレート８１と連動部材８２とは所定の遅れ位相差の範囲内であり、非係合状態となっている。すなわち、モータ２９の逆回転により連動部材８２の凸部８２ｄは後退する動作をしており、このときの凸部８２ｄは、図６に示すように第１カム溝８１ａの内部を後退して符号８２ｄ´´で示す位置に移動しているので、第１カム溝８１ａとは接触しておらず、非係合状態となっている。よってカムプレート８１を押圧することはできないので、カムプレート８１は移動せず、ファインダ視野が変化することがない。以上のようなプロセスを経てカメラ１０の変倍動作が終了する。
【００４３】
その後、撮影者はシャッタボタン２３を半押しすると、ＡＦユニット９１が動作して被写体距離を測定し、それをＲＡＭ１０９に一時的に書き込む、制御部１０２は、ＲＡＭ１０９から読み出した被写体距離に基づいてピント位置を求める。そして、このピント位置に応じて第２レンズ群６３の移動量をＲＯＭ１１０から読み出して、この移動量に合わせてモータ２９を回転させる。モータ２９は、ピント調節の領域Ｐ２で逆回転し、ピント調節を行う（丸囲みの「Ｃ」で示すパターン）。このとき、凸部８２ｄは、符号８２ｄ´´から符号８２ｄ´´´の範囲内を移動し、第１カム溝８１ａとは非係合状態なので、やはりカムプレート８１は移動せずファインダ視野が変化することはない。そして撮影者がシャッタボタン２５を全押しすると、プログラムシャッタが駆動されて一回の撮影が終了する。
【００４４】
このようにして、ズームファインダ２８のズーム位置の倍率を変化させるカムプレート８１の位置を検出して、適正な倍率となるように制御し、さらに、ズームファインダが適正な倍率となった後は、カムプレート８１と連動部材８２とからなる駆動伝達機構の遅れ位相差の範囲内でズームレンズ１６を駆動させているので、ファインダ視野がずれることなく、撮影者の任意とする適正な倍率でフレーミングし、撮影を行うことが可能である。また、ズームレンズ１６、カムプレート８１、連動部材８２、及びズームファインダ２８の間を介するギヤ列やカム、ヘリコイドなどの間に多少の組立誤差がある場合でも、ズームファインダ２８のファインダ視野を合わせる位置制御と、ズームレンズ１６の焦点距離を合わせる位置制御とをそれぞれ別に行っているので、ファインダ視野は、撮影倍率に合わせた適正な視野となるように制御することができる。
【００４５】
なお、上記例では、ズーム位置として符号Ｚ２で示す１例を上げているが、これに限らず、どのステップのズーム位置でも同様にして変倍動作及びピント調節動作を行うことができる。また、上記例ではワイド側からテレ側に撮影倍率が変化する場合のみを例に上げているが、これに限らず、テレ側からワイド側に撮影倍率が変化するときにも適用することができる。この場合、撮影者がワイド側からテレ側に変倍するようにズームボタン２４を押圧操作すると、モータ２９は先ず、逆回転するように制御され、ズームレンズ１６は沈胴していく。そしてズームボタン２４から手を離すと、モータ２９は正転するように切り替えられる。その次にカムプレート８１の位置が位置検出用エンコーダ９９によって検出され、ズームファインダの各ズーム位置に対応する位置に等しくなったときにモータ２９を停止させる。そして以降は、上記例と同様のプロセスを経て変倍動作を終了することができる。
【００４６】
さらに、上記例では、カムプレート８１の位置を検出する位置検出手段として、エンコーダ基板１００及びエンコーダ接片１０１からなる位置検出用エンコーダ９９を使用しているが、これに限るものではなく、図１１に示すような位置検出手段を使用してもよい。この場合、カムプレート８１の位置を検出する位置検出用エンコーダ１１４は、カムプレート８１に形成された複数の検出用開口１１５と、光電センサ１１６とからなる。開口１１５は、ズームファインダ２８の各撮影倍率に応じたズーム位置のポジションに合わせて、方向βに沿って１列に形成されている。そして光電センサ１１６、例えばフォトリフレクタなどを開口１１５に合わせた位置に取り付けておき、開口１１５が光電センサ１１６の内部に位置したときの信号を制御部１０５に送る。これによって、光電センサ１１６からの信号に基づいてカムプレート８１の位置を検出することができる。
【００４７】
なお、上記実施形態においては、本体基部１２とズームレンズ１６との間に設けた位置検出用エンコーダ１０２から検出される信号によって、ズームレンズ１６の各ポジションを制御しているが、本発明はこれに限るものではなく、ロータリエンコーダ３３から出力されるモータ２９の単位回転からズームレンズの各ポジションを制御するようにしてもよい。
【００４８】
また、上記実施形態においては、光軸方向αと直交する方向βに移動するカムプレートによってズームファインダを連動させているが、これに限るものではなく、鏡筒の回りに回転自在に支持されたカム筒に連動させるようにしても良い。
【００４９】
【発明の効果】
以上説明したように、本発明のカメラによれば、ズームレンズの駆動源で正逆転可能なモータと、モータの回転が一方の方向から他方の方向に切り替えられたときに所定の遅れ位相差を持ってズームレンズと連結してズームファインダに駆動を伝達する駆動伝達機構と、この駆動伝達機構を構成する構成部材の位置を検出する位置検出手段とを備えており、変倍動作が行われるとき、モータからズームレンズに駆動が伝達されるとともに、駆動伝達機構を介してズームファインダに駆動を伝達し、位置検出手段により検出された構成部材の位置が、ズームファインダの各ズーム位置に対応する位置に等しくなったときにモータの回転を停止させ、このモータの回転が停止した後に、逆の方向にモータの回転を切り替えて遅れ位相差の範囲内でモータを回転し、ズームレンズの焦点距離がズーム位置に対応する位置に等しくなったときにモータを停止させているので、ズームファインダを撮影倍率に合わせたファインダ視野とするように正確に制御することが可能であり、ズームレンズ、連動機構、及びズームファインダの間を介するギヤ列やカム、ヘリコイドなどの間に多少の組立誤差がある場合でも、ファインダ視野を適正な倍率に制御することができる。
【図面の簡単な説明】
【図１】本発明を実施したカメラの外観を示す斜視図である。
【図２】カメラの要部を示す分解斜視図である。
【図３】ズームレンズの構成を示す分解斜視図である。
【図４】ズームレンズ周辺の要部断面図である。
【図５】第１，第２，第３レンズ群周辺の構成を示す分解斜視図である。
【図６】ズームレンズを駆動するモータの回転量と、ズームレンズの移動量との関係を示すグラフである。
【図７】カムプレートと連結部材との位置関係を説明する断面図である。
【図８】ファインダユニットを水平面と平行に切断したときの断面図である。
【図９】カメラの電気的構成の概略を示すブロック図である。
【図１０】カメラが変倍動作を行うときのシーケンスを説明するフローチャートである。
【図１１】別の実施形態を示す断面図である。
【符号の説明】
１０  カメラ
１６  ズームレンズ
２８  ズームファインダ
２９  モータ
９９，１０２  位置検出用エンコーダ
【図１】
2004287261.tif 000003
【図２】
2004287261.tif 000004
【図３】
2004287261.tif 000005
【図４】
2004287261.tif 000006
【図５】
2004287261.tif 000007
【図６】
2004287261.tif 000008
【図７】
2004287261.tif 000009
【図８】
2004287261.tif 000010
【図９】
2004287261.tif 000011
【図１０】
2004287261.tif 000012
【図１１】
2004287261.tif 000013